(57)【要約】      （修正有）【課題】足湯利用者に、湯足湯以上の効用を有する酵素足湯を、しかも、家庭で随時簡便に利用できる機器として、提供する。【解決手段】移動容易な程度の筐体１０を利用し、足湯浴槽たる筐体の下面に酵素足湯用布袋３０を敷き、その上に足を乗せ、必要に応じ、酵素足湯用布袋をふくらはぎ部に相当する筐体後面に立て掛け、さらに酵素浴剤袋３２を足の甲部・脛部に置き、その上部を筐体上面１２で密閉状態にする。また、酵素の自然発酵によって発生する熱容量が少ない場合に備え、足湯浴槽の下面および周面の５面に、また必要に応じ上面にも、ヒータ２０を設けて、温度調節を可能にした。さらに、酵素浴剤固有の臭を回避するため、鶏糞を一切使用しない、米糠を主成分とする酵素温床剤を使用する構成とする。【選択図】図２
2018042880.tif 000002
【特許請求の範囲】
【請求項１】
足湯の浴剤として、酵素を利用した温熱風呂に使用する浴剤を用いたこと、を特徴とする足湯。
【請求項２】
請求項１記載の発明において、加熱機構を用いたこと、を特徴とする足湯。
【発明の詳細な説明】
【技術分野】
【０００１】
本願発明は、浴剤に酵素風呂浴剤を用いた足湯（以下適宜「酵素足湯」と略称する。）に関する。
【背景技術】
【０００２】
温泉地では温泉湯を熱源として利用した足湯が、足の疲労回復にまた快適な気分をもたらす等の効果があるとして、温泉街中に設けられている事例が多々見られる。
また、温泉地でなくても、観光用としてあるいは村・町起こしのために、著名地域や市町村に、温泉成分を加えた人工温泉湯を利用する足湯、あるいは単なる人工湯を利用した足湯が設けられているところもある。
以下、温泉湯を利用した足湯および人工温泉湯・人工湯を利用した足湯を、総称して「湯足湯」という。
【０００３】
しかし、これらの湯足湯は、熱源として湯を必要とすることから、豊富な温泉湯を有する温泉地では別途の熱源を必要としないものの、人工温泉湯・人工湯を利用した足湯の場合には、別途熱源を用意する必要がある。
また、いずれの場合も湯を使用することから、給湯・廃湯の配管・温度制御等の諸設備を必要としている。
さらに、湯足湯の場合は、利用終了時にタオル等の布地で足に付着した湯水を充分に拭わねばならず、依って、突然用件が発生した場合、足湯途中で中断して用件を済ませることは容易ではない。
その上、設置場所が限定されていて、簡単に移設できる設備ではないことから、利用するためには、所定の場所へその都度出掛けなければならず、湯足湯は簡便に随時利用できるというものではない。
このため、湯足湯のような機器を個々人の家庭内で使用することは、想定もされず、事実実用化されてきていない。
【０００４】
一方、酵素を利用した温熱風呂（以下適宜「酵素温熱風呂」と称する。）に関しては、温床を構成する粉末状の浴剤の主成分として、おが屑またはおよび米糠等を利用したものが、健康維持・疲労回復・美容効果を目的として、巷間でかなり広く実用に供されている。
以下において、酵素温熱風呂槽の中に収納された浴剤の集合であって自然発酵によって熱を放出する集合を、適宜「温床」、「温床剤」、「酵素温床剤」、「酵素浴剤」、あるいは「酵素風呂浴剤」という。
【０００５】
巷間で実用に供されている酵素温熱風呂は、熱源を別途用意する必要がないことから、任意の場所に比較的容易に設置できるという利便性を有するが、通常の酵素温熱風呂は
酵素温熱風呂槽の温床に身体を埋める形式のものであって、その結果、入浴後身体から浴剤を洗い流す設備が必要であり、さらに、洗い流された浴剤の処理施設が別途必要とされる場合もあって、移設が容易な設置とは言えない。
また、酵素温熱風呂として必要とする熱源を確保するには、それ相応の多量の温床を必要とし、一方商用としての酵素温熱風呂は、利用客を確保しなければならないという事情から、街中の高層建物に設置される場合が大多数であり、酵素温熱風呂の浴剤を用いた足湯としての利用は、上記理由（多量の温床が必要、設置場所の制約）を主理由として、想到されて来なかった。
【０００６】
身体のぬくもり様についてだけを取り上げて、温泉風呂を利用した場合と酵素温泉風呂を利用した場合とを比較すると、温泉風呂を利用した場合は「ほかほかとした温かみ」のぬくもり様であるのに対し、酵素温泉風呂を利用した場合は、「ほかほかとした温かみ」に加えて「ふわっとした温かみ」のぬくもり様が、さらに長時間持続することである。
それは、温泉湯の温度は４２℃程度であるのに、酵素温泉風呂の温床は６０℃近くであることにも起因し、さらに、温泉湯の場合は湯当りがあり得るのに、酵素温泉風呂の場合は湯当りが無いことにも起因すると思われる。
【０００７】
酵素温熱風呂の温床剤を熱源として、足湯として利用するには、それ相応の量の温床剤を必要とする。酵素足湯として、小型の筐体に温床剤を入れて足を温めるには熱源の熱容量が不足する場合もあることから、その対策を施すことも望ましい。
【０００８】
一方、暖房用熱源として広く使用されている多くの加熱機器（以下適宜「ヒータ」と言う。）は、チリチリする感じは免れず、足温器としての利用においても、足温している間は相応の暖は取れるものの、足温器から足を外すと暖は採れず、また湯足湯のような時後の「ほかほかとする温かみ」は望みようもない。
その使用感は、ヒータとして現今広く使用されている遠赤外線ヒータでも同様である。
【０００９】
しかしながら、湯足湯の時後の「ほかほかとする温かみ」と言えども、温泉湯・人工温泉湯・人工湯を使用するものであるから、長時間継続するものではなく、せいぜい３０分ないし１時間程度であり、これに比して、酵素温泉風呂の「ほかほかとする温かみ」に加えて「ふわっとする温かみ」は、酵素温床剤を使用することから、数時間もの長時間に渡って持続するものである。
【００１０】
出願人は、既に、酵素温熱風呂の場合、温床剤に直接肌を触れさせなくても温床の酵素からあるいは温床中の微生物から何か波動熱のようなものが放射されていることを知っていた（特許第5967686号）ことから、熱源が不足する場合、補助熱源を使用すれば、それ相応の期間中は、酵素浴剤固有の効果を享受できるのではないかと考えた。
また、ヒータを補助熱源として使用した場合、ヒータの熱源から発するチリチリ感が減殺され、酵素浴剤固有の効果、即ち長時間に渡って「ほかほかする温かみ」加えて「ふわっとする温かみ」を保持する効果、が保たれるのではないかと考え、試行して見た結果、ほぼ期待通りの効果が得られることに気付いた。
知人に試してもらったが、同様の効果があった。
【先行技術文献】
【特許文献】
【００１１】
【特許文献１】特願2016-030570(特許第5967686号）
【特許文献２】特許情報プラットフォームのテキスト検索（公開特許公報）で、以下の条件で検索したが、該当すると思料できるものはありません。                                  「要約と請求の範囲」  「酵素」                                      ＡＮＤ  「要約と請求の範囲」  「足湯」                                    発見された件数は、１件
【発明の概要】
【発明が解決しようとする課題】
【００１２】
本願発明は、上記のような事情のもとで考えだされた酵素温熱風呂の酵素浴剤固有の効果の利用に関するもので、湯足湯を利用する者あるいは湯足湯を利用したい者に、家庭で軽便に随時利用でき、かつ、湯足湯以上の効果がある足湯（酵素足湯）機器を提供することを課題とする。
【００１３】
本願発明は、特に家庭内での利用を重視するから、酵素浴剤固有の臭を極力回避できることも課題である。
【課題を解決するための手段】
【００１４】
このため、本願発明では、利用者が足湯として利用できる程度の足湯浴槽となりうる筐体を利用し、酵素浴剤を包み込んだ袋（以下適宜「酵素足湯用布袋」という。）を複数用意し、酵素足湯用布袋の一部は足湯浴槽の下面部に敷き、また必要に応じ、酵素足湯用布袋をふくらはぎ部に相当する足湯浴槽後面に立て掛け、足湯浴槽の下面に敷かれた酵素足湯用布袋の上に足を乗せ、さらに残りの酵素足湯用布袋を足の甲部・脛部に置くこととした。
なお、酵素足湯用布袋を多数用意し、各部で複数使用しても良い。
また、筐体を少し大きくして、複数人が利用できるようにしても良い。
【００１５】
酵素の自然発酵によって発生する熱容量が少ない場合に備え、足湯浴槽の下面および周囲側面の５面に、また必要に応じ上面にも、ヒータを設けて、温度調節を可能にした。
【００１６】
酵素浴剤固有の臭を回避するため、米糠を主成分とし、鶏糞を一切使用しない酵素温床剤を使用することとした。
【発明の効果】
【００１７】
足湯利用者は、酵素足湯利用の場合は、利用中であっても、中断する際に足に付着した湯水を拭う必要はないことから、簡易に利用を中断でき、即再度利用することができる。
【００１８】
足湯利用者は、本願発明により、臭がほぼ皆無の状態で、酵素足湯を利用できる。
【００１９】
足湯利用者は、随時、簡便に、家庭で、酵素温熱風呂に近い効果のある酵素足湯を利用できる。
【００２０】
本願発明の酵素足湯は、酵素温床剤を使用することから、ヒータを使用する場合でも、ヒータのみによる足温器に比べ、少ない電力で利用でき、省エネの機器となる。
【００２１】
湯足湯の場合は、足湯利用者の着衣が湯に濡れ易いことから、足湯の深さは浅いものにならざるを得ず、よって、ふくらはぎ部分を充分に温めることはできないが、本願発明の場合は酵素温床剤を、しかも酵素足湯用布袋として使用することから、足湯としての深さを相応に深くすることができ、ふくらはぎ部分を充分に温めることができる。
【図面の簡単な説明】
【００２２】
【図１】本願発明の酵素足湯の斜視図である。
【図２】本願発明の酵素足湯のＡ−Ａ’垂直断面の矢視図である。
【図３】簡略化した筐体を用いた本願発明の矢視図である。
【発明を実施するための形態】
【００２３】
酵素足湯の足湯浴槽としては、図１に示すような、幅 40cm、奥行 35cm、深さ 35cm 程度の密閉状の筐体１０が用いられる。
深さの数値が 35cm 程度と大きいのは、ふくらはぎ部全部を対象とするからである。もっとも、ふくらはぎ部を対象としない場合は、深さを 25cm 程度に浅くしても良い。
筐体を大きくして、複数人が利用できるようにしても良いし、図３に示すような簡略化した筐体を用いても良い。
【００２４】
筐体１０は、図１および図２に示すように、足湯浴槽の下面および周囲側面の５面を構成する筐体下部１１と筐体上面１２とからなり、筐体上面には足を挿入するための開口１３が設けられている。
図１において、筐体上面は水平部分と傾斜部分に２分されているが、傾斜部分だけでも良く、また、水平部分だけでも良くこの場合は矩形体の簡略化された筐体となる（図３）。
筐体上面の一部は、足および酵素足湯用布袋３０の入出に便なように、ヒンジ等（図示省略）で前後に開閉できるようにしておけば至便であり（図１）、あるいは上下方向に取り外し、取り付けできるようにしておいても良い（図３、詳細省略）。
【００２５】
筐体１０の底面と周囲側面の５面には、また必要に応じ上面にも、薄型のヒータ２０が取付けられ(図２)、ヒータには電源部４０から商用電源が供給される。
なお、電源部は、電源プラグ４１と供給電力制御器４２から構成され、供給電力制御器は電圧を制御する程度（例．強・弱の目盛のあるスイッチ程度）のもので良い。もっとも自動的に温度を制御できる機器なら最適である。
なお、ヒータには薄型の遠赤外線ヒータが、通常使用される。
【００２６】
酵素足湯用布袋用の袋としては、織目の細かい密閉性の良いファスナー付きの布袋の使用が便である。布袋は２重でも良く、外側の布袋には把手があれば好都合である。複数の酵素足湯用布袋は、各々別容量の布袋とすることも可能であるが、通常は同一容量の布袋が使用される。
もっとも、酵素足湯用布袋を多数用意し、各部で複数使用しても良い。
【００２７】
使用方法は以下のようになる。
筐体１０の底面には、下部側酵素足湯用布袋３１を敷き、必要に応じ、ふくらはぎ部に相当する筐体後面にも酵素足湯用布袋（採番省略）を立て掛けておく。
利用に際しては、１５ないし３０分ほど前に、ヒータ電源を入れておくと即利用でき、至便である。しかし、酵素足湯用布袋は、通常、酵素浴剤の温度相応の暖かい温度となっているから、敢えて前もって電源を入れておく必要性は低いものであり、使用開始時に電源を入れても良い。
【００２８】
筐体上面の開口１３から、足を入れる。この際、筐体の上面が簡易に前後に開閉できたり（図１）、上下に取り外すことができれば至便である（図３、詳細省略）。
次に、足の甲部・脛部に、甲部・脛部側酵素足湯用布袋３２を置き、筐体の上面を所定の位置にもどせば、利用状態となる。
【００２９】
使用温度に応じて、ヒータ２０の温度を、供給電力制御器４２で調整すれば良い。
【００３０】
酵素足湯用布袋３０の働きが落ちてきたら、酵素浴剤供給先で酵素浴剤を交換してもらえば良い。通常の使用程度、２時間／日程度、では、酵素浴剤の交換は２〜３ヶ月に１回程度である。
一方、酵素浴剤供給先では、本業に使用している酵素浴槽の浴剤と入れ換えるだけで済むから、酵素浴剤供給先では殆ど手間を要しない作業である。
【００３１】
筐体底面下面には、ゴム足・プラスティック足が設けられるが、一部をキャスターに置き換えて、移動に便なるようにしても良い。
【産業上の利用可能性】
【００３２】
酵素足湯は、足の疲労回復に効果があり、本願発明は、個々人が家庭内で、簡便に、随時利用できるものであるから、健康産業において極めて有用性の高いものである。
【符号の説明】
【００３３】
１０    筐体
１１    筐体下部
１２    筐体上面
１３    筐体上面の開口
２０    ヒータ
３０    酵素足湯用布袋
３１    下部側酵素足湯用布袋
３２    甲部・脛部側酵素足湯用布袋
４０    電源部
４１    電源プラグ
４２    供給電力制御器
【図１】
2018042880.tif 000003
【図２】
2018042880.tif 000004
【図３】
2018042880.tif 000005
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
酵素を利用した温熱風呂に使用する浴剤を用いた足湯であって、足湯を構成する筐体は足湯浴槽の下面および周囲側面の５面を構成する筐体下部と筐体上面とからなり、浴剤としては酵素浴剤を包み込んだ酵素足湯用布袋を複数利用したこと、を特徴とする足湯。
【請求項２】
請求項１記載の発明において、加熱機構を用いたこと、を特徴とする足湯。